(57)【要約】【課題】手摺りをフレーム部に固定するにあたり、手摺りからフレーム部に掛かるモーメントを受けることができる便器手摺り取り付け構造を提供する。【解決手段】後部に金属製のフレーム部２を有する便器の手摺り取り付け構造であって、前記フレーム部２は左右両側にそれぞれ、略前後方向を長手方向とする上横フレーム２１と、該上横フレーム２１の後端部付近より下方に突設される後縦フレーム２３とを備え、上記フレーム部２に取り付けるベースプレート３を上横片３１と縦片３２と下横片３３とからなる断面略コ字状に形成し、ベースプレート３の下横片３３の後端面を上記フレーム部２の後縦フレーム２３の前面に当接させると共に、ベースプレート３の上横片３１を上横フレーム２１の上面に固定し、該ベースプレート３に手摺り４の基端部を取り付けた。【選択図】図１
2008005933.tif 000002
【特許請求の範囲】
【請求項１】
後部に金属製のフレーム部を有する便器の手摺り取り付け構造であって、前記フレーム部は左右両側にそれぞれ、略前後方向を長手方向とする上横フレームと、該上横フレームの後端部付近より下方に突設される後縦フレームとを備え、上記フレーム部に取り付けるベースプレートを上横片と縦片と下横片とからなる断面略コ字状に形成し、ベースプレートの下横片の後端面を上記フレーム部の後縦フレームの前面に当接させると共に、ベースプレートの上横片を上横フレームの上面に固定し、該ベースプレートに手摺りの基端部を取り付けて成ることを特徴とする便器の手摺り取り付け構造。
【発明の詳細な説明】
【技術分野】
【０００１】
本発明は、便器の手摺り取り付け構造に関するものである。
【背景技術】
【０００２】
従来より、陶製の便器に手摺りを取り付ける手摺り取付構造として、便器に金属製のベースプレートを固定すると共に、この金属製のベースプレートに手摺りを固定する構造が知られている（例えば特許文献１参照）。しかしながら、この場合、手摺りからの荷重が陶製の便器に掛かってしまい、一般に陶製品は製品による強度のばらつきがあるため、強度が弱くて破損してしまう惧れがあり、安全係数を通常の製品よりも大きくとらなければならなかった。
【０００３】
そこで、手摺りからの荷重を陶器で受けないようにした便器が考えられており、例えば、便器の前半部を陶器で製造し、便器の後半部を金属製のフレーム部で構成して陶器の前半部に固定し（例えば特許文献２参照）、このフレーム部に手摺りを固定して、手摺りからの荷重をフレーム部で受けるものが知られている。
【特許文献１】特開２００３−０００４７６号公報
【特許文献２】特開２００３−４１６４５号公報
【発明の開示】
【発明が解決しようとする課題】
【０００４】
しかしながらこの場合、陶器のような破損の惧れはなくなるものの、依然として強度を確保する必要があり、特に、手摺りをフレーム部に取り付けた部分にかかるモーメントを受ける必要があるが、例えば手摺りをボルトナットでフレーム部に締結し、このボルトナット締結部のみでモーメントを受けようとすると、締結力だけでは耐え切れずに回転してしまったり、あるいはボルトナット締結部分が変形してしまったりするものであった。
【０００５】
本発明は上記の点に鑑みてなされたものであり、その目的とするところは、手摺りをフレーム部に固定するにあたり、手摺りからフレーム部に掛かるモーメントを受けることができる便器手摺り取り付け構造を提供することを課題とするものである。
【課題を解決するための手段】
【０００６】
上記課題を解決するために請求項１に係る発明にあっては、後部に金属製のフレーム部２を有する便器の手摺り取り付け構造であって、前記フレーム部２は左右両側にそれぞれ、略前後方向を長手方向とする上横フレーム２１と、該上横フレーム２１の後端部付近より下方に突設される後縦フレーム２３とを備え、上記フレーム部２に取り付けるベースプレート３を上横片３１と縦片３２と下横片３３とからなる断面略コ字状に形成し、ベースプレート３の下横片３３の後端面を上記フレーム部２の後縦フレーム２３の前面に当接させると共に、ベースプレート３の上横片３１を上横フレーム２１の上面に固定し、該ベースプレート３に手摺り４の基端部を取り付けて成ることを特徴とするものである。
【０００７】
このような構成とすることで、フレーム部２がベースプレート３から受けるモーメントを後縦フレーム２３の前面で受けることができ、ベースプレート３とフレーム部２とを固着具で固定している部分にモーメントが集中的に掛かって破損するのが防止される。
【発明の効果】
【０００８】
本発明にあっては、ベースプレートとフレーム部とを固着具で固定している部分にモーメントが集中的に掛かって破損するのが防止され、安定的に手摺りに掛けられた荷重を支えることができるものである。
【発明を実施するための最良の形態】
【０００９】
以下、本発明を添付図面に示す実施形態に基いて説明する。
【００１０】
便器は、前部に配置される陶器又は合成樹脂等からなる便器本体１と、便器本体１の後部に設置される金属製のフレーム部２とで主体が構成される。
【００１１】
便器本体１は、Ｓ字状の固定型のトラップ構造を有するものや、可動型のターントラップ構造を有するもの等、特に限定されない。以下にターントラップ構造を有する便器本体１の例について図３に基づいて説明する。
【００１２】
便器本体１内には上方が開口１１ａとなったボウル１１が形成してあり、便器本体１内の後部にケース本体１２が内装してある。ケース本体１２の一側壁には取付け孔１３が設けてあり、取付け孔１３に回動且つ上下反転自在なトラップ部１４が挿入して取付けてあり、トラップ部１４の大部分はケース本体１２内に配置されると共にトラップ部１４の前端部の接続部１５がケース本体１２から外部に突出している。このトラップ部１４の接続部１５をボウル１１の後端部に形成したボウル排水口１１ｂにはめ込んで接続してある。
【００１３】
ケース本体１２内に配置したトラップ部１４はトラップ駆動手段（図示せず）によりトラップ部１４の自由端とした後端が上下方向に反転自在に回動されるようになっている。本例ではトラップ部１４は軟質の材料で形成し且つ蛇腹状をしており、ケース本体１２に回動自在に取付けた回動体１６はトラップ部１４の後端部に連結してあり、また、回動体１６はケース本体１２の外部に配設したトラップ駆動手段を構成するモータにより回動するように連結してある。したがって、モータを一方向に回転するとトラップ部１４の自由端とした後端が下向きとなるように回動し、上記と逆にモータを回転するとトラップ部１４の自由端とした後端が上向きとなるように回動する。
【００１４】
ケース本体１２の下部には排出孔１９が設けてあり、排出孔１９に外部排水管が接続される。したがって、ボウル１１のボウル排水口１１ｂ、トラップ部１４、ケース本体１２、外部排水管によりボウル１１から延びる排水路（図示せず）が構成してある。
【００１５】
便器本体１にはボウル１１に給水するための給水路１７が配置してあり、この給水路１７は先端部が便器１のボウル１１の上端開口１１ａ縁部に形成された通水用のリム部に連通し、他端部が水道管に接続されるものである。給水路１７の途中には給水路１７を開閉するための給水電磁弁よりなる給水手段１８が設けてある。
【００１６】
次に、フレーム部２について説明する。フレーム部２は、図１、図２に示すように、便器の後部すなわち上記便器本体１の後側に設置される金属製のもので、便器本体１にボウル１１ト等にて固定されて荷重を受ける構造体としたり、あるいは床面に固定されて荷重を受ける構造体とするもので、本発明のように手摺り４が取り付けられたり、あるいは局部洗浄装置等の機器が載置されたりするものである。以下に一実施形態について説明する。
【００１７】
フレーム部２は、便器の左右両側にそれぞれ、略前後方向を長手方向とする上横フレーム２１と、この上横フレーム２１の前端部付近より下方に連設される前縦フレーム２２と、上横フレーム２１の後端部付近より下方に突設される後縦フレーム２３と、前縦フレーム２２と後縦フレーム２３の下端同士を連結する下横フレーム２４とからなる側面視略矩形状をした側枠部２０を備え、左右の側枠部２０の上端部付近の前端部および後端部に架設フレーム２５を架設して左右の側枠部２０を連結している。
【００１８】
このフレーム部２は、前端部を便器本体１に固定してもよいが、下横フレーム２４に上下に貫通する貫通孔２４ａを形成し、この貫通孔２４ａにボルトナットやビス等の固着具（図示せず）を挿通して便器本体１の下端後端部や床に固定される。そしてこのフレーム部２にはベースプレート３を介して手摺り４が取り付けられる。
【００１９】
ベースプレート３は、縦に配置される側面視矩形状をした板状のもので、側面視の形状は限定されないが、正面視の形状、すなわち板の前後方向の断面の形状は、上横片３１と縦片３２と下横片３３とからなる断面略コ字状に形成してある。ベースプレート３には、手摺り取付部が形成してある。手摺り取付部は、複数個の凸部又は凹部からなる位置決め突起３４、複数個の手摺り取付孔からなる。
【００２０】
手摺り４は、図４に示すように、手摺り４の円形状の取付座４１から軸部４２が側方の延出し、軸部４２の側面端部では先端部からアーム４３が斜め上方に延出し、アーム４３が上方に行くにつれて垂直方向に延出するように湾曲し、アーム４３の上端に水平な手摺り部４４が形成されているものである。取付座４１は上述したベースプレート３と連結するものであり、ベースプレート３に設けた位置決め突起３４及び手摺り取付孔に対応する位置に位置決め孔４５及び手摺り取付孔４６を設けるものである。上述したようにベースプレート３に手摺り４を取り付ける際には、手摺り４の取付座４１をベースプレート３に合わて配置し、位置決め突起３４を位置決め孔４５に嵌合することで手摺り４のベースプレート３への取付位置が決定し、手摺り取付孔４６にビス４７を螺入して手摺り４をベースプレート３に取付するものである。手摺り部４４には、体が不自由な障害者や高齢者が便座に座った状態から立つ場合に体重をかけ、立ちあがり動作を楽にするものであるが、手摺り部４４に掛けられた体重はベースプレート３にかかり、安定的に手摺り４に掛けられた体重を支えることができるものである。
【００２１】
ベースプレート３のフレーム部２への取り付けは、図５に示すように、ベースプレート３の下横片３３の後端面を上記フレーム部２の後縦フレーム２３の前面に当接させた状態で、ベースプレート３の上横片３１をフレーム部２の上横フレーム２１の上面に固定する。ベースプレート３の上横片３１には上下に貫通する貫通孔３１ａが穿設してあると共に、フレーム部２の上横フレーム２１には上下に貫通する貫通孔２１ａが穿設してあり、ベースプレート３の上横片３１をフレーム部２の上横フレーム２１の上面に載置して前記貫通孔２４ａ、２１ａを連通させた状態で、ボルトナット等からなる固着具５にて固定するものである。
【００２２】
本発明の手摺り取り付け構造にあっては、手摺り４の手摺り部４４に手を載せた際、軸部４２を解してベースプレート３に図２イに示すようなモーメントが発生するが、このベースプレート３の下横片３３の後端面がフレーム部２の後縦フレーム２３の前面に当接して力が受けられ、前記回転力をフレーム部２にて受けることとなる。これにより、ベースプレート３とフレーム部２とを固着具で固定している部分にモーメントが集中的に掛かって破損するのが防止される。
【図面の簡単な説明】
【００２３】
【図１】本発明のフレーム部とベースプレートのみを便宜上示した斜視図である。
【図２】本発明の全体概略斜視図である。
【図３】ターントラップ型の便器本体の説明断面図であり、（ａ）は貯水時を示し、（ｂ）は排水時を示す。
【図４】手摺りとベースプレートの取り付けを説明する説明図である。
【図５】（ａ）はベースプレートのフレーム部への取り付けを説明する断面図であり、（ｂ）はモーメントを受ける部分を説明する斜視図である。
【符号の説明】
【００２４】
１    便器本体
１１  ボウル
１４  トラップ部
１６  回動体
２    フレーム部
２１  上横フレーム
２２  前縦フレーム
２３  後縦フレーム
２４  下横フレーム
３    ベースプレート
３１  上横片
３２  縦片
３３  下横片
４    手摺り
４１  取付座
４２  軸部
４３  アーム
４４  手摺り部
５    固着具
【図１】
2008005933.tif 000003
【図２】
2008005933.tif 000004
【図３】
2008005933.tif 000005
【図４】
2008005933.tif 000006
【図５】
2008005933.tif 000007